(57)【要約】  室内機は、空調対象空間側に開口部が形成され、被取付部に取り付けられる本体と、空気を吸い込む第１の吸込み口と、第１の吸込み口よりも本体の中央側に形成され空気を吸い込む第２の吸込み口と、第１の吸込み口及び第２の吸込み口から吸い込まれた空気を吹き出す吹出し口とが形成され、本体の開口部を覆うパネルと、第１の吸込み口及び第２の吸込み口から吸い込まれ吹出し口に吹き出される空気の流れを形成する送風機と、パネルの第２の吸込み口の少なくとも一部を覆うように設けられた導風壁と、を備える。
2020021678.tif 000002
【特許請求の範囲】
【請求項１】
空調対象空間側に開口部が形成され、被取付部に取り付けられる本体と、
空気を吸い込む第１の吸込み口と、前記第１の吸込み口よりも前記本体の中央側に形成され空気を吸い込む第２の吸込み口と、前記第１の吸込み口及び前記第２の吸込み口から吸い込まれた空気を吹き出す吹出し口とが形成され、前記本体の前記開口部を覆うパネルと、
前記第１の吸込み口及び前記第２の吸込み口から吸い込まれ前記吹出し口に吹き出される空気の流れを形成する送風機と、
前記パネルの前記第２の吸込み口の少なくとも一部を覆うように設けられた導風壁と、
を備える室内機。
【請求項２】
前記導風壁は、
前記パネルとは高さが異なる位置に設けられている
請求項１記載の室内機。
【請求項３】
前記導風壁は、
側面断面視において前記第２の吸込み口の幅以上の幅を有している
請求項１又は２記載の室内機。
【請求項４】
前記導風壁は、
前記パネルよりも前記送風機側に設けられている
請求項１〜３のいずれか１項に記載の室内機。
【請求項５】
前記導風壁は、
前記パネルよりも前記空調対象空間側に設けられている
請求項１〜３のいずれか１項に記載の室内機。
【請求項６】
前記導風壁と前記パネルとは一体的に形成されている
請求項１〜５のいずれか１項に記載の室内機。
【請求項７】
前記導風壁は、
前記空調対象空間側に突出した凸形状をなしている
請求項１〜６のいずれか１項に記載の室内機。
【請求項８】
前記パネルの前記送風機側の面及び前記導風壁の前記送風機側の面に設けられ、音を吸収する吸音部材を更に備える
請求項１〜７のいずれか１項に記載の室内機。
【請求項９】
前記パネルは、前記第１の吸込み口側から前記第２の吸込み口側に向かって前記送風機側に傾斜している
請求項１〜８のいずれか１項に記載の室内機。
【請求項１０】
前記送風機と前記パネルとの間に設けられ、前記送風機に送られる空気の上流側から下流側に向かって縮径する筒状のベルマウスを更に備え、
前記第２の吸込み口は、
ベルマウスの下流側のベルマウス開口よりも径方向の外側に形成されている
請求項１〜９のいずれか１項に記載の室内機。
【請求項１１】
請求項１〜１０のいずれか１項に記載の室内機を備えた冷凍サイクル装置。
【発明の詳細な説明】
【技術分野】
【０００１】
本発明は、第１の吸込み口と第１の吸込み口よりも内側に設けられた第２の吸込み口とが形成されたパネルを備える室内機及び冷凍サイクル装置に関する。
【背景技術】
【０００２】
従来、例えば天井埋込形の空気調和機の室内機において、筐体の下部に形成された吸込み口の中央に中央部材である吸込みパネルが設置されたものが知られている。吸込みパネルは、吸込み口を覆うことによって、筐体の内部を視認し難くすると共に、筐体の内部から生じる音を遮る。このように、従来、意匠性を確保しつつ、騒音を低減している空気調和機の室内機が提案されている。しかし、吸込みパネルが設置されることによって、吸込み口の面積が縮小し、また、吸込みパネルの筐体の内部側の面に気流の剥離による死水域が生じて通風抵抗が大きくなる。このため、ファンモータの入力電力が増大し、省エネ性が悪化する。【０００３】
省エネ性を確保することを目的として、特許文献１には、環状の吸込み口の中央に設けられた吸込みパネルに補助開口が形成された天井埋込形の室内機が開示されている。これにより、特許文献１の室内機は、吸込み面積の拡大及び死水域の縮小が図られ、通風抵抗が低減され、ファンモータの入力電力の増大を抑制しようとするものである。
【先行技術文献】
【特許文献】
【０００４】
【特許文献１】特開２０１３−１０８７１６号公報
【発明の概要】
【発明が解決しようとする課題】
【０００５】
しかしながら、特許文献１に開示された室内機は、省エネ性を確保するために補助開口が設けられていることによって、送風機等から生じる音が補助開口を通って外部に漏れ易くなる。従って、特許文献１は、吸込みパネルの遮音性が低下して、低騒音効果を充分に得ることができない。【０００６】
本発明は、上記のような課題を解決するためになされたもので、省エネ性を確保しつつ遮音性が向上する室内機及び冷凍サイクル装置を提供するものである。
【課題を解決するための手段】
【０００７】
本発明に係る室内機は、空調対象空間側に開口部が形成され、被取付部に取り付けられる本体と、空気を吸い込む第１の吸込み口と、第１の吸込み口よりも本体の中央側に形成され空気を吸い込む第２の吸込み口と、第１の吸込み口及び第２の吸込み口から吸い込まれた空気を吹き出す吹出し口とが形成され、本体の開口部を覆うパネルと、第１の吸込み口及び第２の吸込み口から吸い込まれ吹出し口に吹き出される空気の流れを形成する送風機と、パネルの第２の吸込み口の少なくとも一部を覆うように設けられた導風壁と、を備える。
【発明の効果】
【０００８】
本発明によれば、導風壁が第２の吸込み口に設けられているため、第２の吸込み口を介して本体の内部の音が外部に漏れることを抑制することができる。従って、通風抵抗を減らして省エネ性を確保するために、パネルに第２の吸込み口が形成されても、遮音性を向上させることができる。即ち、室内機は、省エネ性を確保しつつ遮音性を向上させることができる。
【図面の簡単な説明】
【０００９】
【図１】本発明の実施の形態１に係る室内機２００を示す下面図である。
【図２】本発明の実施の形態１に係る室内機２００を示す側面透視図である。
【図３】本発明の実施の形態１の第１変形例に係る室内機２００ａを示す側面透視図である。
【図４】本発明の実施の形態１の第２変形例に係る室内機２００ｂを示す側面透視図である。
【図５】本発明の実施の形態１の第３変形例に係る室内機２００ｃを示す下面図である。
【図６】本発明の実施の形態１の第４変形例に係る室内機２０１を示す側面透視図である。
【図７】本発明の実施の形態２に係る室内機２００ｄを示す側面透視図である。
【図８】本発明の実施の形態３に係る室内機２００ｅを示す側面透視図である。
【図９】本発明の実施の形態３の変形例に係る室内機２００ｆを示す側面透視図である。
【図１０】本発明の実施の形態４に係る冷凍サイクル装置１０００を示す回路図である。
【発明を実施するための形態】
【００１０】
実施の形態１．
以下、本発明に係る室内機及び冷凍サイクル装置の実施の形態について、図面を参照しながら説明する。図１は、本発明の実施の形態１に係る室内機２００を示す下面図であり、図２は、本発明の実施の形態１に係る室内機２００を示す側面透視図である。室内機２００は、例えばパッケージ型エアコンの室内機２００である。図１及び図２に示すように、室内機２００は、本体２０と、パネル２５と、風向板１３と、熱交換器３と、ドレンパン１６と、フィルタ８と、送風機１８と、ベルマウス１４と、導風壁２３とを備えている。
【００１１】
（本体２０）
本体２０は、天井面等の被取付部１５に取り付けられており、有底角筒状の筐体である。本体２０は、被取付部１５の奥側に配置される長方形状の本体天板５と、本体天板５の４辺から空調対象空間１７側に延びる４個の本体側板４とを有し、本体天板５に対向する側が開口部２０ａとなっている。このように、本実施の形態１は、本体２０が被取付部１５の奥側に埋め込まれた天井埋込形の空気調和機の室内機２００について例示している。
【００１２】
（パネル２５）
パネル２５は、本体２０の開口部２０ａを覆うものであり、化粧パネル６と、吸込みパネル７とを有している。パネル２５は、例えば板金でもよいし、樹脂でもよい。化粧パネル６は、例えば本体２０に着脱自在に取り付けられる矩形枠状の部材であり、本体２０の開口部２０ａのうち縁部を覆っている。化粧パネル６の長辺側の両端部には、長手方向に延びる孔が形成されている。なお、化粧パネル６は、被取付部１５とほぼ同一面に位置している。吸込みパネル７は、例えば枠状の化粧パネル６の内部に配置されて化粧パネル６に着脱自在に取り付けられる矩形枠状の部材であり、本体２０の開口部２０ａのうち中央を覆っている。吸込みパネル７の空調対象空間１７側の面は、略水平面となっている。
【００１３】
ここで、本体２０の開口部２０ａのうち、化粧パネル６と吸込みパネル７との間は第１の吸込み口２１となっており、第１の吸込み口２１は、空調対象空間１７の空気が吸い込まれる開口である。また、本体２０の開口部２０ａのうち、枠状の吸込みパネル７の内側は第２の吸込み口２２となっており、第２の吸込み口２２も、空調対象空間１７の空気が吸い込まれる開口である。即ち、第２の吸込み口２２は、第１の吸込み口２１よりも本体２０の中央側に形成されている。更に、本体２０の開口部２０ａのうち、化粧パネル６の長辺側の縁部に沿う孔は、吹出し口９となっており、吹出し口９は、第１の吸込み口２１及び第２の吸込み口２２から吸い込まれた空気が吹き出される開口である。なお、本実施の形態１では、第１の吸込み口２１が２個の場合について例示しているが、第１の吸込み口２１は１個でもよいし、３個以上でもよい。また、第２の吸込み口２２が１個の場合について例示しているが、第２の吸込み口２２は２個以上でもよい。更に、吹出し口９が２個の場合について例示しているが、吹出し口９は１個でもよいし、３個以上でもよい。例えば、吹出し口９は、化粧パネル６の４辺の縁部に沿う孔として、４個設けてもよい。
【００１４】
（風向板１３）
風向板１３は、各吹出し口９に設けられており、吹出し口９から吹き出す空気の方向を調整する。
【００１５】
（熱交換器３）
熱交換器３は、送風機１８の径方向外側において第１の吸込み口２１及び第２の吸込み口２２と吹出し口９とを接続する風路に設けられており、第１の吸込み口２１及び第２の吸込み口２２から吸い込まれた空気を、冷媒との間で熱交換させる。熱交換器３は、例えば複数のフィン（図示せず）と、複数の伝熱管（図示せず）とを有するフィンアンドチューブ型の熱交換器３である。複数のフィンは、水平方向に所定の間隔を空けて配置されており、複数の伝熱管は、複数のフィンを貫通している。伝熱管は、ガス配管３００及び液配管４００によって室外機１００（図１０参照）に接続されている。これにより、熱交換器３には、室外機１００から冷却された冷媒又は加熱された冷媒が供給される。ドレンパン１６は、熱交換器３の下方に設けられており、熱交換器３において空調対象空間１７の空気が冷却されて生じる結露水を受ける。
【００１６】
（フィルタ８）
フィルタ８は、吸込みパネル７と送風機１８との間に設けられており、第１の吸込み口２１及び第２の吸込み口２２から吸い込まれた空気を除塵する。フィルタ８の外形は、吸込みパネル７の外形よりも小さく、フィルタ８は室内機２００の下方からの平面視で隠れている。これにより、ユーザ等が下方から室内機２００を視認しても、第１の吸込み口２１を介してフィルタ８はみえない。
【００１７】
（送風機１８）
送風機１８は、本体２０の内部の中央に設けられており、第１の吸込み口２１及び第２の吸込み口２２から吸い込まれ吹出し口９に吹き出される空気の流れを形成する。送風機１８は、ファンモータ２と、シャフト２ａと、遠心ファン１とを有している。ファンモータ２は、本体天板５の下面に支持されており、遠心ファン１を回転駆動するものである。シャフト２ａは、ファンモータ２から下方に延びる回転軸である。遠心ファン１は、例えばターボファンであり、シャフト２ａとの固定部であるボスを有する主板１０と、複数枚の羽根１２と、風路を形成する側板１１とを有している。羽根１２は、ファンモータ２の回転駆動により回転する。遠心ファン１は、第１の吸込み口２１及び第２の吸込み口２２から本体２０の内部に空気を吸い込み、吸い込んだ空気を吹出し口９から空調対象空間１７である室内に吹き出させる。
【００１８】
（ベルマウス１４）
ベルマウス１４は、送風機１８の遠心ファン１と吸込みパネル７との間に設けられ、送風機１８に送られる空気の上流側から下流側に向かって漸次縮径する曲面筒状の部材である。
【００１９】
（導風壁２３）
導風壁２３は、第２の吸込み口２２の少なくとも一部を覆うように設けられ、第２の吸込み口２２を介して本体２０の内部の音が外部に漏れることを抑制する。導風壁２３は、例えば支持部材（図示せず）によって吸込みパネル７に取り付けられており、室内機２００の下方からの平面視で第２の吸込み口２２を覆うように設置されている。導風壁２３は、吸込みパネル７とは高さが異なる位置に設けられており、本実施の形態１では、導風壁２３は、吸込みパネル７よりも送風機１８側に設けられている。なお、本実施の形態１では、導風壁２３が、側面断面視において第２の吸込み口２２の幅（水平方向の長さ）と同等の幅を有している。これにより、ユーザ等が下方から室内機２００を視認しても、第２の吸込み口２２を介して室内機２００の内部がみえない。即ち、室内機２００の意匠性を高めることができる。更に、本実施の形態１では、導風壁２３は、第２の吸込み口２２の開口面積と同等の面積を有している。これにより、導風壁２３が第２の吸込み口２２の幅と同等の幅を有するのみよりも、更に室内機２００の意匠性を改善することができる。また、導風壁２３は、第２の吸込み口２２の開口面積以上の面積を有していてもよい。これにより、室内機２００の内部が更にみえにくくなる。
【００２０】
次に、室内機２００における空気の流れについて説明する。遠心ファン１が回転すると、空調対象空間１７の空気は、第１の吸込み口２１に吸い込まれる。そして、フィルタ８において除塵された空気は、ベルマウス１４によってガイドされて、遠心ファン１に吸い込まれる。遠心ファン１において、下方から上方に向かって吸い込まれた空気は、水平方向且つ径方向の外側に吹き出される。吹き出された空気は、熱交換器３を通過して冷媒と熱交換されると共に湿度が調整される。そして、空気は、下方に向きを変更して、吹出し口９を通って空調対象空間１７に吹き出される。
【００２１】
本実施の形態１によれば、導風壁２３が第２の吸込み口２２に設けられているため、第２の吸込み口２２を介して本体２０の内部の音が外部に漏れることを抑制することができる。従って、通風抵抗を減らして省エネ性を確保するために、パネル２５に第２の吸込み口２２が形成されても、遮音性を向上させることができる。即ち、室内機２００は、省エネ性を確保しつつ遮音性を向上させることができる。
【００２２】
本実施の形態１の吸込みパネル７が枠状ではなく平板上である場合、枠状の化粧パネル６の内部の開口を覆うことによって、本体２０の内部を視認し難くすると共に、本体２０の内部から生じる音を遮る。ここで、吸込みパネル７が設置されることによって、開口部２０ａの面積が縮小する。また、吸込みパネル７の本体２０の内部側の面に気流の剥離による死水域が生じて通風抵抗が大きくなるため、ファンモータ２の入力電力が増大し、省エネ性が悪化するおそれがある。そこで、本実施の形態１では、枠状の吸込みパネル７が採用されており、これにより、枠状の吸込みパネル７の内部の第２の吸込み口２２が形成され、吸込み面積の拡大及び死水域の縮小が図られる。これにより、通風抵抗が低減され、ファンモータ２の入力電力の増大を抑制する。しかし、この状態では、送風機１８等から生じる音が第２の吸込み口２２を通って外部に漏れるおそれがある。そこで、本実施の形態１では、導風壁２３が第２の吸込み口２２に設けられることによって、第２の吸込み口２２を介して本体２０の内部の音が直接外部に放射されることを抑制することができる。このように、本実施の形態１は、省エネ性の向上及び遮音性の向上を両立させることができる。
【００２３】
また、導風壁２３は、第２の吸込み口２２の開口面積以上の面積を有しており、室内機２００の下方からの平面視で第２の吸込み口２２を覆うように設置されている。このため、埃が堆積するフィルタ８を目隠しすることができる。このように、本実施の形態１では、省エネ性の向上、遮音性の向上及び意匠性の向上を実現することができる。
【００２４】
（第１変形例）
図３は、本発明の実施の形態１の第１変形例に係る室内機２００ａを示す側面透視図である。図３に示すように、第１変形例は、導風壁２３と吸込みパネル７とが一体的に形成されている。これにより、室内機２００において、部品点数を増やすことなく、導風壁２３を設けることができる。
【００２５】
（第２変形例）
図４は、本発明の実施の形態１の第２変形例に係る室内機２００ｂを示す側面透視図である。図４に示すように、第２変形例は、導風壁２３が空調対象空間１７側に突出した凸形状をなしている。これにより、吸込みパネル７が吸込みパネル７の送風機１８側の面の死水域を縮小することと同様に、導風壁２３の送風機１８側の面に生じ得る死水域を縮小することができる。
【００２６】
（第３変形例）
図５は、本発明の実施の形態１の第３変形例に係る室内機２００ｃを示す下面図である。図５に示すように、第３変形例は、第２の吸込み口２２が、ベルマウス１４の下流側のベルマウス開口１４ａよりも径方向の外側に形成されている。送風機１８から生じる騒音は、ベルマウス１４のベルマウス開口１４ａを通過して外部に放射される。このため、ベルマウス開口１４ａに対応する位置に第２の吸込み口２２がなければ、空調対象空間１７に放射される騒音は、第２の吸込み口２２から漏れない。従って、第３変形例は、騒音をより抑制することができる。
【００２７】
（第４変形例）
図６は、本発明の実施の形態１の第４変形例に係る室内機２０１を示す側面透視図である。図６に示すように、第４変形例は、導風壁２３ａが側面断面視において第２の吸込み口２２の幅以上の幅を有している。これにより、室内機２００の内部が更にみえにくくなる。
【００２８】
実施の形態２．
図７は、本発明の実施の形態２に係る室内機２００ｄを示す側面透視図である。本実施の形態２は、室内機２００ｄが吸音部材３０を備えている点で、実施の形態１と相違する。本実施の形態２では、実施の形態１と同一の部分は同一の符号を付して説明を省略し、実施の形態１との相違点を中心に説明する。
【００２９】
図７に示すように、吸音部材３０は、吸込みパネル７の送風機１８側の面及び導風壁２３の送風機１８側の面に設けられ、音を吸収する。吸音部材３０は、例えば多孔質状の部材である。吸音部材３０は、例えば発泡スチロールであり、所定の厚みを有している。本実施の形態２では、吸音部材３０が設けられることによって、吸音部材３０が設けられていない場合に比べて、送風機１８から生じる騒音が外部に放射されることを更に抑制することができる。また、吸音部材３０の厚みによって、第２の吸込み口２２から送風機１８にかけての風路が整備されるため、第２の吸込み口２２を通過した後の導風壁２３の送風機１８側の面における気流の剥離が抑制される。これにより、第２の吸込み口２２を通過した後の有効風路が拡大し、通風抵抗が低減する。なお、室内機２００ｄは、吸音部材３０の一部を導風壁２３として使用してもよい。これにより、本実施の形態２は、部品点数を削減し、第２の吸込み口２２の形状を容易に形成することができる。
【００３０】
実施の形態３．
図８は、本発明の実施の形態３に係る室内機２００ｅを示す側面透視図である。本実施の形態３は、導風壁２３の位置が、実施の形態１と相違する。本実施の形態３では、実施の形態１と同一の部分は同一の符号を付して説明を省略し、実施の形態１との相違点を中心に説明する。
【００３１】
図８に示すように、導風壁２３は、吸込みパネル７よりも空調対象空間１７側に設けられている。これにより、本実施の形態３は、実施の形態１と同様の効果に加え、導風壁２３の送風機１８側の面に生じ得る死水域をより抑制することができる。また、本実施の形態３は、実施の形態１よりも更に第２の吸込み口２２における通風抵抗を抑制することができるため、省エネ性を向上させることができる。
【００３２】
（変形例）
図９は、本発明の実施の形態３の変形例に係る室内機２００ｆを示す側面透視図である。図９に示すように、変形例は、吸込みパネル７が第１の吸込み口２１側から第２の吸込み口２２側に向かって送風機１８側に傾斜している。即ち、吸込みパネル７の第１の吸込み口２１側の端部の高さと、導風壁２３の高さとを揃えることができる。なお、吸込みパネル７の第２の吸込み口２２側の端部の高さと、導風壁２３の高さとは異なる。従って、室内機２００ｆの高さ方向の寸法を変更することなく、導風壁２３を設置することができる。
【００３３】
実施の形態４．
図１０は、本発明の実施の形態４に係る冷凍サイクル装置１０００を示す回路図である。本実施の形態４では、実施の形態１〜３の室内機２００を有する冷凍サイクル装置１０００について説明する。図１０に示すように、冷凍サイクル装置１０００は、例えば空調対象空間１７の空気を調整する空気調和機であり、室外機１００と、室内機２００とを備えている。室外機１００と室内機２００とは、ガス冷媒が流れるガス配管３００及び液冷媒又は気液二相冷媒が流れる液配管４００によって接続されている。室外機１００には、圧縮機１０１、流路切替装置１０２、室外熱交換器１０３、室外送風機１０４及び膨張部１０５が設けられている。室内機２００には、熱交換器３及び送風機１８が設けられている。
【００３４】
圧縮機１０１、流路切替装置１０２、室外熱交換器１０３、膨張部１０５及び熱交換器３が接続配管により接続されて冷媒回路が構成されている。圧縮機１０１は、低温且つ低圧の状態の冷媒を吸入し、吸入した冷媒を圧縮して高温且つ高圧の状態の冷媒にして吐出するものである。圧縮機１０１は、例えばインバータ装置等を備え、運転周波数を任意に変化させることによって、圧縮機１０１の容量を細かく変化させる。ここで、圧縮機１０１の容量とは、単位時間当たりの冷媒を送り出す量である。流路切替装置１０２は、制御装置（図示せず）からの指示に基づいて、冷媒回路において冷媒が流れる方向を切り替えるものであり、例えば四方弁である。室外熱交換器１０３は、例えば室外空気と冷媒との間で熱交換するものである。室外熱交換器１０３は、冷房運転時には凝縮器として作用し、暖房運転時には蒸発器として作用する。
【００３５】
室外送風機１０４は、室外熱交換器１０３に室外空気を送る機器である。室外送風機１０４は、例えば送風機１８と同様の遠心ファン１等としてもよい。室外送風機１０４は、インバータ装置等によりモータの運転周波数を任意に変化させて遠心ファン１の回転速度を細かく変化させるようにしてもよい。膨張部１０５は、冷媒を減圧して膨張する減圧弁又は膨張弁である。膨張部１０５は、例えば開度が調整される電子式膨張弁である。熱交換器３は、例えば室内空気と冷媒との間で熱交換するものである。熱交換器３は、冷房運転時には蒸発器として作用し、暖房運転時には凝縮器として作用する。送風機１８は、熱交換器３に室内空気を送る機器である。送風機１８の運転速度は、例えばユーザによって設定される。
【００３６】
（運転モード、冷房運転）
次に、冷凍サイクル装置１０００の運転モードについて説明する。先ず、冷房運転について説明する。冷房運転において、圧縮機１０１に吸入された冷媒は、圧縮機１０１によって圧縮されて高温且つ高圧のガス状態で吐出する。圧縮機１０１から吐出された高温且つ高圧のガス状態の冷媒は、流路切替装置１０２を通過して、凝縮器として作用する室外熱交換器１０３に流入し、室外熱交換器１０３において、室外送風機１０４によって送られる室外空気と熱交換されて凝縮液化する。凝縮された液状態の冷媒は、膨張部１０５に流入し、膨張部１０５において膨張及び減圧されて低温且つ低圧の気液二相状態の冷媒となる。そして、気液二相状態の冷媒は、蒸発器として作用する熱交換器３に流入し、熱交換器３において、送風機１８によって送られる室内空気と熱交換されて蒸発ガス化する。このとき、室内空気が冷やされ、室内において冷房が実施される。蒸発した低温且つ低圧のガス状態の冷媒は、流路切替装置１０２を通過して、圧縮機１０１に吸入される。
【００３７】
（運転モード、暖房運転）
次に、暖房運転について説明する。暖房運転において、圧縮機１０１に吸入された冷媒は、圧縮機１０１によって圧縮されて高温且つ高圧のガス状態で吐出する。圧縮機１０１から吐出された高温且つ高圧のガス状態の冷媒は、流路切替装置１０２を通過して、凝縮器として作用する熱交換器３に流入し、熱交換器３において、送風機１８によって送られる室内空気と熱交換されて凝縮液化する。このとき、室内空気が暖められ、室内において暖房が実施される。凝縮された液状態の冷媒は、膨張部１０５に流入し、膨張部１０５において膨張及び減圧されて低温且つ低圧の気液二相状態の冷媒となる。そして、気液二相状態の冷媒は、蒸発器として作用する室外熱交換器１０３に流入し、室外熱交換器１０３において、室外送風機１０４によって送られる室外空気と熱交換されて蒸発ガス化する。蒸発した低温且つ低圧のガス状態の冷媒は、流路切替装置１０２を通過して、圧縮機１０１に吸入される。
【００３８】
このように、実施の形態１〜３の送風機１８を室外送風機１０４として室外機１００を構成することによって、効率が良い室外機１００を実現することができる。
【００３９】
なお、室内機２００は、冷凍サイクル装置１０００の室内機２００、例えば空気調和機の室内機２００としてもよい。また、熱交換器３を備えていない送風装置としての室内機２００としてもよい。このように、室内機２００は、送風機１８が設置される各種装置又は設備等に適用することができる。また、上記実施の形態では、送風機１８がターボファンである場合について例示しているが、シロッコファン、プロペラファン、貫流ファンなどの他の送風機でもよい。
【符号の説明】
【００４０】
１  遠心ファン、２  ファンモータ、２ａ  シャフト、３  熱交換器、４  本体側板、５  本体天板、６  化粧パネル、７  吸込みパネル、８  フィルタ、９  吹出し口、１０  主板、１１  側板、１２  羽根、１３  風向板、１４  ベルマウス、１４ａ  ベルマウス開口、１５  被取付部、１６  ドレンパン、１７  空調対象空間、１８  送風機、２０  本体、２０ａ  開口部、２１  第１の吸込み口、２２  第２の吸込み口、２３  導風壁、２３ａ  導風壁、２５  パネル、３０  吸音部材、１００  室外機、１０１  圧縮機、１０２  流路切替装置、１０３  室外熱交換器、１０４  室外送風機、１０５  膨張部、２００，２００ａ，２００ｂ，２００ｃ，２００ｄ，２００ｅ，２００ｆ  室内機、２０１  室内機、３００  ガス配管、４００  液配管、１０００  冷凍サイクル装置。
【図１】
2020021678.tif 000003
【図２】
2020021678.tif 000004
【図３】
2020021678.tif 000005
【図４】
2020021678.tif 000006
【図５】
2020021678.tif 000007
【図６】
2020021678.tif 000008
【図７】
2020021678.tif 000009
【図８】
2020021678.tif 000010
【図９】
2020021678.tif 000011
【図１０】
2020021678.tif 000012
【手続補正書】
【提出日】令和2年10月14日(2020.10.14)
【手続補正１】
【補正対象書類名】明細書
【補正対象項目名】０００７
【補正方法】変更
【補正の内容】
【０００７】
本発明に係る室内機は、空調対象空間側に開口部が形成され、被取付部に取り付けられる本体と、空気を吸い込む第１の吸込み口と、第１の吸込み口よりも本体の中央側に形成され空気を吸い込む第２の吸込み口と、第１の吸込み口及び第２の吸込み口から吸い込まれた空気を吹き出す吹出し口とが形成され、本体の開口部を覆うパネルと、第１の吸込み口及び第２の吸込み口から吸い込まれ吹出し口に吹き出される空気の流れを形成する送風機と、パネルの第２の吸込み口の少なくとも一部を覆うように設けられた導風壁と、を備え、導風壁は、パネルよりも送風機側に設けられている。
【手続補正２】
【補正対象書類名】特許請求の範囲
【補正対象項目名】全文
【補正方法】変更
【補正の内容】
【特許請求の範囲】
【請求項１】
空調対象空間側に開口部が形成され、被取付部に取り付けられる本体と、
空気を吸い込む第１の吸込み口と、前記第１の吸込み口よりも前記本体の中央側に形成され空気を吸い込む第２の吸込み口と、前記第１の吸込み口及び前記第２の吸込み口から吸い込まれた空気を吹き出す吹出し口とが形成され、前記本体の前記開口部を覆うパネルと、
前記第１の吸込み口及び前記第２の吸込み口から吸い込まれ前記吹出し口に吹き出される空気の流れを形成する送風機と、
前記パネルの前記第２の吸込み口の少なくとも一部を覆うように設けられた導風壁と、
を備え、
前記導風壁は、
前記パネルよりも前記送風機側に設けられている
室内機。
【請求項２】
前記導風壁は、
前記パネルとは高さが異なる位置に設けられている
請求項１記載の室内機。
【請求項３】
前記導風壁は、
側面断面視において前記第２の吸込み口の幅以上の幅を有している
請求項１又は２記載の室内機。
【請求項４】
前記導風壁と前記パネルとは一体的に形成されている
請求項１〜３のいずれか１項に記載の室内機。
【請求項５】
前記導風壁は、
前記空調対象空間側に突出した凸形状をなしている
請求項１〜４のいずれか１項に記載の室内機。
【請求項６】
前記パネルの前記送風機側の面及び前記導風壁の前記送風機側の面に設けられ、音を吸収する吸音部材を更に備える
請求項１〜５のいずれか１項に記載の室内機。
【請求項７】
前記パネルは、前記第１の吸込み口側から前記第２の吸込み口側に向かって前記送風機側に傾斜している
請求項１〜６のいずれか１項に記載の室内機。
【請求項８】
前記送風機と前記パネルとの間に設けられ、前記送風機に送られる空気の上流側から下流側に向かって縮径する筒状のベルマウスを更に備え、
前記第２の吸込み口は、
ベルマウスの下流側のベルマウス開口よりも径方向の外側に形成されている
請求項１〜７のいずれか１項に記載の室内機。
【請求項９】
空調対象空間側に開口部が形成され、被取付部に取り付けられる本体と、
空気を吸い込む第１の吸込み口と、前記第１の吸込み口よりも前記本体の中央側に形成され空気を吸い込む第２の吸込み口と、前記第１の吸込み口及び前記第２の吸込み口から吸い込まれた空気を吹き出す吹出し口とが形成され、前記本体の前記開口部を覆うパネルと、
前記第１の吸込み口及び前記第２の吸込み口から吸い込まれ前記吹出し口に吹き出される空気の流れを形成する送風機と、
前記パネルの前記第２の吸込み口の少なくとも一部を覆うように設けられた導風壁と、
を備え、
前記導風壁と前記パネルとは一体的に形成されている
室内機。
【請求項１０】
空調対象空間側に開口部が形成され、被取付部に取り付けられる本体と、
空気を吸い込む第１の吸込み口と、前記第１の吸込み口よりも前記本体の中央側に形成され空気を吸い込む第２の吸込み口と、前記第１の吸込み口及び前記第２の吸込み口から吸い込まれた空気を吹き出す吹出し口とが形成され、前記本体の前記開口部を覆うパネルと、
前記第１の吸込み口及び前記第２の吸込み口から吸い込まれ前記吹出し口に吹き出される空気の流れを形成する送風機と、
前記パネルの前記第２の吸込み口の少なくとも一部を覆うように設けられた導風壁と、
を備え、
前記パネルは、前記第１の吸込み口側から前記第２の吸込み口側に向かって前記送風機側に傾斜している
室内機。
【請求項１１】
空調対象空間側に開口部が形成され、被取付部に取り付けられる本体と、
空気を吸い込む第１の吸込み口と、前記第１の吸込み口よりも前記本体の中央側に形成され空気を吸い込む第２の吸込み口と、前記第１の吸込み口及び前記第２の吸込み口から吸い込まれた空気を吹き出す吹出し口とが形成され、前記本体の前記開口部を覆うパネルと、
前記第１の吸込み口及び前記第２の吸込み口から吸い込まれ前記吹出し口に吹き出される空気の流れを形成する送風機と、
前記パネルの前記第２の吸込み口の少なくとも一部を覆うように設けられた導風壁と、
前記送風機と前記パネルとの間に設けられ、前記送風機に送られる空気の上流側から下流側に向かって縮径する筒状のベルマウスと、を備え、
前記第２の吸込み口は、
ベルマウスの下流側のベルマウス開口よりも径方向の外側に形成されている
室内機。
【請求項１２】
空調対象空間側に開口部が形成され、被取付部に取り付けられる本体と、
空気を吸い込む第１の吸込み口と、前記第１の吸込み口よりも前記本体の中央側に形成され空気を吸い込む第２の吸込み口と、前記第１の吸込み口及び前記第２の吸込み口から吸い込まれた空気を吹き出す吹出し口とが形成され、前記本体の前記開口部を覆うパネルと、
前記第１の吸込み口及び前記第２の吸込み口から吸い込まれ前記吹出し口に吹き出される空気の流れを形成する送風機と、
前記パネルの前記第２の吸込み口の少なくとも一部を覆うように設けられた導風壁と、
を備え、
前記導風壁は、
前記第１の吸込み口側から前記第２の吸込み口側に向かって前記空調対象空間側に傾斜している
室内機。
【請求項１３】
請求項１〜１２のいずれか１項に記載の室内機を備えた冷凍サイクル装置。
【国際調査報告】
2020021678.tif 000013
2020021678.tif 000014
2020021678.tif 000015
2020021678.tif 000016